(57)【要約】【課題】優れた耐静電気性を有し、信頼性が向上した光ディスク装置を提供する。【解決手段】光ディスクを載置するトレイ１０と、トレイ１０を出し入れ可能に収容する筐体５０と、導電性材料で形成され、トレイ１０に配設され且つトレイ１０の外形よりも内側に位置するアースプレート３０とを備え、アースプレート３０は、アースプレート本体３１と、アースプレート本体３１から延出する延出部３２と、延出部３２の延出端部からトレイ挿入方向側に向けて屈曲された屈曲端部３３とを有し、筐体５０は、トレイ１０が筐体５０に収容された際に屈曲端部３３を受領する空間を形成するようトレイ挿入方向に退避されると共に、トレイ排出方向からトレイ挿入方向に向けて徐々に傾斜する傾斜面７１を有し、アースプレート３０は、トレイ１０が筐体５０に収容された際に、屈曲端部３３が傾斜面７１に当接する。【選択図】図１
2012252753.tif 000002
【特許請求の範囲】
【請求項１】
装着した光ディスクの情報記録面に対し情報の記録、再生の少なくとも一方を行う光ディスク装置であって、
前記光ディスクを載置するトレイと、
前記トレイを出し入れ可能に収容する筐体と、
導電性材料で形成され、前記トレイに配設され且つ当該トレイの外形よりも内側に位置するアースプレートと、
を備え、
前記アースプレートは、アースプレート本体と、当該アースプレート本体から延出する延出部と、当該延出部の延出端部からトレイ挿入方向側に向けて屈曲された屈曲端部と、を有し、
前記筐体は、前記トレイが筐体に収容された際に前記屈曲端部を受領する空間を形成するようトレイ挿入方向に退避されると共に、トレイ排出方向からトレイ挿入方向に向けて徐々に傾斜する傾斜面を有し、
前記アースプレートは、前記トレイが筐体に収容された際に、前記屈曲端部が前記傾斜面に当接する光ディスク装置。
【請求項２】
前記アースプレートは、前記トレイのトレイ排出方向端面に配設され、
前記筐体は、ボトムケースとアッパーカバーとを有し、前記傾斜面は、前記ボトムケースのトレイ排出方向上部端面に形成されてなる請求項１記載の光ディスク装置。
【請求項３】
前記アースプレートは、前記トレイが筐体に収容された際に、前記屈曲端部のトレイ挿入方向端面が前記傾斜面に面接触する請求項２記載の光ディスク装置。
【請求項４】
前記アースプレート本体と前記延出部は、同一平面上に位置する請求項１記載の光ディスク装置。
【請求項５】
前記アースプレートは、前記トレイが筐体に収容された際に、前記屈曲端部が前記傾斜面に押圧され、当該押圧力は、前記屈曲端部と前記傾斜面との当接を保持すると共に、前記アースプレートを前記トレイの外形よりも内側に保持可能である請求項１記載の光ディスク装置。
【請求項６】
前記屈曲端部のトレイ挿入方向端面が、前記傾斜面に面接触する傾斜面からなる請求項３記載の光ディスク装置。
【発明の詳細な説明】
【技術分野】
【０００１】
本発明は、静電気対策がなされた光ディスク装置に関する。
【背景技術】
【０００２】
近年、光ディスク装置では、軽量化、薄型化が進んでおり、特にノートパソコンに搭載され、厚みが１２．７ｍｍや９．５ｍｍ等に代表される薄型光ディスク装置では、静電気対策として通常、イジェクトスイッチの周辺に避雷針の役割を果たすアースプレートを搭載し、このアースプレートをボトムケースと接触させることでアースをとっている。
【０００３】
このような従来の光ディスク装置は、アースプレートがドライブの外形から外側に突出しているため、取り扱い等によっては、前記アースプレートを変形させてしまうことがある。そして、アースプレートの変形状態によっては、当該アースプレートとボトムケースとの接触が十分に行なわれず、静電気を外部に効率よく放電することができなくなる虞がある。
【０００４】
また、アースプレートが変形することを防止する光ディスク装置として、トレイの前面基部にアースプレート（アース部材）を配設し、このアースプレートは、トレイ排出方向と略直交する方向に延びると共に、トレイ排出方向に撓み可能な舌片状のアース延出部を有し、さらに前記トレイの前面基部に、前記アース延出部が撓むときの該アース延出部先端の移動奇跡上に前側突出部を配設し、当該アース延出部がケースに配設されたケース側アース接触部に接触することで静電気を外部に放電すると共に、指先が前記アース延出部に接触してトレイ排出方向に変形した場合は、当該アース延出部の先端と前記前側突出部とを接触させることで当該アース延出部の過剰な変形を規制する光ディスク装置が紹介されている。（例えば、特許文献１参照）。
【先行技術文献】
【特許文献】
【０００５】
【特許文献１】ＷＯ２００９／１３０７６８  Ａ１公報
【発明の概要】
【発明が解決しようとする課題】
【０００６】
しかしながら、特許文献１に係る光ディスク装置を製造するには、アース延出部の過剰な変形を規制する前側突出部を配設するための工程が必要となる。また、アース延出部とケース側アース接触部との間の導通性を向上するために、アース延出部の基端（基板カバー部との境界部分）とアース延出部の略中央部の両位置に曲げ加工を施し、両者の接触面積を大きくしているため製造が複雑となる。そして、このように複数の位置で曲げ加工を施しても、アース延出部とケース側アース接触部との接触面積を十分に大きくすることは困難であり、さらなる導通性の向上が期待される。
【０００７】
本発明は、以上の点を考慮してなされたものであり、優れた耐静電気性を有し、信頼性が向上した光ディスク装置を提供することを目的とする。
【課題を解決するための手段】
【０００８】
この目的を達成するため、本発明は、装着した光ディスクの情報記録面に対し情報の記録、再生の少なくとも一方を行う光ディスク装置であって、前記光ディスクを載置するトレイと、前記トレイを出し入れ可能に収容する筐体と、導電性材料で形成され、前記トレイに配設され且つ当該トレイの外形よりも内側に位置するアースプレートと、を備え、前記アースプレートは、アースプレート本体と、当該アースプレート本体から延出する延出部と、当該延出部の延出端部からトレイ挿入方向側に向けて屈曲された屈曲端部と、を有し、前記筐体は、前記トレイが筐体に収容された際に前記屈曲端部を受領する空間を形成するようトレイ挿入方向に退避されると共に、トレイ排出方向からトレイ挿入方向に向けて徐々に傾斜する傾斜面を有し、前記アースプレートは、前記トレイが筐体に収容された際に、前記屈曲端部が前記傾斜面に当接する光ディスク装置を提供するものである。
【発明の効果】
【０００９】
本発明によれば、優れた耐静電気性を有し、信頼性が向上した光ディスク装置を提供することができる。
【図面の簡単な説明】
【００１０】
【図１】本発明の実施形態に係る光ディスク装置の斜視図であり、筐体からトレイ全体を排出させた状態を示す図である。
【図２】図１に示す光ディスク装置を背面から見た斜視図である。
【図３】図１に示す光ディスク装置からアッパーカバーを取外した状態を示す斜視図である。
【図４】本発明の実施形態に係る光ディスク装置からアッパーカバーを取外した状態を示す斜視図であり、筐体にトレイを収容した状態を示す図である。
【図５】図４に示す光ディスク装置のトレイ排出方向側の一部を拡大して示す斜視図である。
【図６】図４に示す光ディスク装置のトレイ排出方向側の一部を拡大して示す正面図である。
【図７】図１に示す光ディスク装置のボトムケースを示す斜視図である。
【図８】図７に示すボトムケースのトレイ排出方向側の一部を拡大して示す斜視図である。
【図９】図１に示す光ディスク装置のアースプレートを示す斜視図である。
【図１０】図１に示す光ディスク装置のボトムケースとアースプレートとが接触している状態を示す斜視図である。
【図１１】図１０に示すボトムケースとアースプレートとの接続状態をトレイ挿入方向側から見た斜視図である。
【図１２】図１１に示すボトムケースとアースプレートとの接続状態の一部を拡大して示す斜視図である。
【図１３】図１２示すボトムケースとアースプレートとの接続状態を背面から見た平面図である。
【発明を実施するための形態】
【００１１】
次に、本発明の実施形態に係る光ディスク装置について図面を参照して説明する。なお、以下に記載される実施形態は、本発明を説明するための例示であり、本発明をこれらの実施形態にのみ限定するものではない。したがって、本発明は、その要旨を逸脱しない限り、様々な形態で実施することができる。また、各図では、説明を判り易くするため、各部材の厚さやサイズ、拡大・縮小率等は、実際のものとは一致させずに記載した。また、本実施形態では、光ディスクが搭載される側を「上」、その反対側を「下」とし、トレイ排出方向側を「前側」、トレイ挿入側を「後側」として説明する。
【００１２】
図１は、本発明の実施形態に係る光ディスク装置の斜視図であり、筐体からトレイ全体を排出させた状態を示す図、図２は、図１に示す光ディスク装置を背面から見た斜視図、図３は、図１に示す光ディスク装置からアッパーカバーを取外した状態を示す斜視図、図４は、本発明の実施形態に係る光ディスク装置からアッパーカバーを取外した状態を示す斜視図であり、筐体にトレイを収容した状態を示す図、図５は、図４に示す光ディスク装置のトレイ排出方向側の一部を拡大して示す斜視図、図６は、図４に示す光ディスク装置のトレイ排出方向側の一部を拡大して示す正面図である。
【００１３】
図１〜図６に示すように本実施の形態にかかる光ディスク装置１は、光ディスクを載置するトレイ１０と、光ディスクを載置したトレイ１０を出し入れ可能に収容する筐体５０とを備えている。
【００１４】
トレイ１０は、トレイ出入方向（前後方向）と平行な両側部に、トレイ１０の出し入れをガイドするためのガイドレール１１Ａ及び１１Ｂが各々配設されている。これらのガイドレール１１Ａ及び１１Ｂは、後に詳述する筐体５０に形成されたレールガイド５２Ａ及び５２Ｂによって、前後方向に移動可能に支持されている。トレイ１０の前側先端面は、筐体５０の前面に形成された開口を塞ぐベゼル１９となっており、このベゼル１９には、静電気を外部に放電させるためのアースプレート３０と、トレイ１０を筐体５０内から排出するためのイジェクトボタン２０と、インジケータ２８が配設されている。
【００１５】
また、トレイ１０は、ガイドレール１１Ａ及び１１Ｂに対し移動可能に各々配設されており、筐体５０に対し挿入される際、ガイドレール１１Ａ及び１１Ｂを筐体５０の外側に残した状態で先に筐体５０内に進入し、トレイ１０のベゼル１９がガイドレール１１Ａ及び１１Ｂに当接することで、ガイドレール１１Ａ及び１１Ｂが筐体５０内に進入するようになっている。
【００１６】
ベゼル１９には、後に詳述するアースプレート３０を収容する収容部１８が凹設されている。この収容部１８は、アースプレート３０を常にトレイ１０の外形よりも内側に位置可能な深さで形成されている。したがって、アースプレート３０が何かに引っかかる、あるいは外部から負荷がかかる等して変形することを防止でき、取り扱いを容易にすることができる。
【００１７】
トレイ１０の上面には、光ディスクが装着される光ディスク装着部１２が形成されており、この光ディスク装着部１２の外周の一部は、光ディスクの形状に合わせた略円形状となっている。この光ディスク装着部１２には開口１３が設けられており、この開口１３には、後述するユニットメカ１５が固定されている。さらに、このトレイ１０には、筐体５０への収納状態を保持する図示しないロック機構が配設されている。
【００１８】
ユニットメカ１５は、光ディスク装着部１２に搭載された光ディスクを回転駆動させるためのスピンドルモータ１６と、光ディスクの情報記録面に情報の記録を行う及び／または光ディスクの情報記録面に記録された情報の再生を行う光ピックアップ１７と、搭載された光ディスクの径方向に光ピックアップ１７を移動可能に支持する一対のガイドシャフト（図示せず）を有している。
【００１９】
スピンドルモータ１６の回転軸の光ディスク装着部１２側の先端には、光ディスクの中心孔に挿入され、光ディスクの径方向の移動を規制するクランパ２９が配設されており、光ディスク装着部１２に搭載された光ディスクは、このクランパ２９によってチャッキングされ、回転駆動される。なお、光ピックアップ１７のスピンドルモータ１６から離れた側の端部には、フレキシブルケーブル２７の一端が電気的に接続された状態で固定されており、このフレキシブルケーブル２７の他端は、トレイ１０に配設されているプリント配線基板（図示せず）に電気的に接続されている。
【００２０】
筐体５０は、ボトムケース５５と、アッパーカバー５６とを有している。この筐体５０の前側端面は、トレイ１０を出し入れするための開口となっている。また、ボトムケース５５の前後方向と平行な両側部５３Ａ及び５３Ｂには、トレイ１０に形成されたガイドレール１１Ａ及び１１Ｂを移動可能に各々支持するレールガイド５２Ａ及び５２Ｂが形成されている。
【００２１】
図７は、ボトムケース５５を示す斜視図、図８は、ボトムケース５５の前側の一部を拡大して示す斜視図である。図７及び図８に示すように、ボトムケース５５の側部５３Ａの前側先端には、側部５３Ａの高さが低くなる（筐体５０の厚さ方向の長さが短くなる）段部７３が形成されており、段部７３の上部には、側部５３Ａから内側に向けて、前側から後側に徐々に傾斜する傾斜面７１が形成され、さらにこの傾斜面７１の側部５３Ａから離れた側の先端には、ボトムケース５５の内側に突出した凸部７２が形成されている。この傾斜面７１は前側を向いた端面となっており、後に詳述するアースプレート３０の屈曲端部３３の端面３９が当接可能となっている。なお、本実施形態では、この段部７３、傾斜面７１、凸部７２によって、後に詳述するアースプレート３０の屈曲端部３３を受領して導通させる導通受領部７０を形成している。
【００２２】
なお、筐体５０には、トレイ１０の排出を行うための図示しない排出機構が配設されている。また、トレイ１０と筐体５０は、フレキシブルケーブル４０によって電気的に接続され、両者間で制御・信号処理の情報が受け渡しされるようになっている。
【００２３】
図９は、アースプレート３０を示す斜視図である。アースプレート３０は、導電性材料（例えば、金属等）から形成されており、図９に示すように、板状のアースプレート本体３１と、アースプレート本体３１から同一平面上に延出する延出部３２と、延出部３２の演出端部から後側に向けて屈曲された屈曲端部３３とを有している。なお、アースプレート３０は、アースプレート本体３１と延出部３２とが、同一平面上にある構成を有しているため、この部分に曲げ加工を行う必要がない。
【００２４】
アースプレート本体３１の延出部３２が形成されている側の端部と、この端部とは反対側の端部には、アースプレート３０をベゼル１９に形成された係合部（図示せず）に係合し、アースプレート３０をベゼル１９に固定する係合部３７及び３８が各々形成されている。また、アースプレート本体３１の延出部３２側の上部には、アースプレート３０が収容部１８に収容された際に収容部１８の内壁に当接する当接部３６が形成されている。そしてまた、アースプレート本体３１には、イジェクトボタン２０をベゼル１９の前面に露出させる穴３４と、インジケータ２８をベゼル１９の前面に露出させる穴３５が開口されている。
【００２５】
延出部３２は、通常の状態では、アースプレート本体３１と同一平面上に延出しているが、前後方向に力が加えられた際には、その方向に変形（撓み）し、この力から解放された際には、元の状態に復元可能となっている。
【００２６】
屈曲端部３３は、後側の端面３９が導通受領部７０の傾斜面７１と面接触が可能となる所定の角度で屈曲されている。なお、端面３９と傾斜面７１とを面接触させる、即ち、屈曲端部３３の端面３９と傾斜面７１とがほぼ平行となるようにするためには、傾斜面７１の傾斜角度を調整してもよく、屈曲端部３３の屈曲角度を調整してもよく、両者の角度を調整してもよい。
【００２７】
次に、アースプレート３０と、ボトムケース５５に形成された導通受領部７０との関係について詳述する。図１０は、アースプレート３０と導通受領部７０とが接触している状態を前側から見た状態を示す斜視図、図１１は、アースプレート３０と導通受領部７０とが接触している状態を後側から見た斜視図、図１２は、アースプレート３０と導通受領部７０との接続状態を拡大して示す斜視図、図１３は、アースプレート３０と導通受領部７０とが接触している状態を背面から見た平面図である。
【００２８】
先ず、光ディスクを載置したトレイ１０を筐体５０に向けて押し込むと、トレイ１０は、光ディスクの情報記録面に対し情報の記録、再生の少なくとも一方を行う通常位置で停止する。このとき、図１０〜図１３に示すように、ボトムケース５５の導通受領部７０の傾斜面７１にアースプレート３０の屈曲端部３３の端面３９が当接し、屈曲端部３３が傾斜面７１に押圧される。この押圧力により、屈曲端部３３の端面３９と、傾斜面７１とが確実に接触して両者が導通する。この導通は、屈曲端部３３の端面３９と傾斜面７１との面接触により行われるため、面と線（例えば、部材の角部等）との接触に比べ、両者の接触面積を大きくとることができる。したがって、両者の導通性を大幅に向上することができるため、優れた耐静電気性が得られ、信頼性が向上した光ディスク装置を提供することができる。
【００２９】
また、アースプレート３０は、図１３に示すように、前記押圧力によりアースプレート本体３１と延出部３２との境界部分で外側に変形（撓み）するが、このように変形した際も通常状態と同様に、アースプレート３０は、収容部１８内に収まっており、トレイ１０の外形よりも内側に位置している。したがって、アースプレート３０と導通受領部７０（ボトムケース５５）との導通をとっている状態であっても、アースプレート３０が何かに引っかかる、あるいは外部から負荷がかかる等して変形することを防止でき、取り扱いを容易にすることができる。
【００３０】
なお、この状態においてトレイ１０は、トレイ１０に配設されている図示しないロック機構により、トレイ１０の筐体５０へのこの収容状態が保持される。そして、光ディスク装置１に対し所定の操作を行うことにより、光ディスクの情報記録面に対し情報の記録、再生の少なくとも一方が行なわれる。
【００３１】
一方、トレイ１０を筐体５０から排出させる際は、イジェクトボタン２０を押すと、前記図示しないロック機構によるトレイ１０のロックが解除され、筐体５０に配設されている図示しない排出機構によりトレイ１０が筐体５０から排出される。
【００３２】
なお、本実施形態では、アースプレート３０の屈曲端部３３の端面３９と、ボトムケース５５の導通受領部７０の傾斜面７１とが面接触する場合について説明したが、これに限らず、筐体５０側の屈曲端部３３が接触する部分が傾斜面であれば、屈曲端部３３の傾斜面７１との接触部分は、必ずしも傾斜面７１に対し平行な面でなくてもよい。また、屈曲端部３３の傾斜面７１との接触部分は、端面に限定されるものではない。
【００３３】
また、本実施形態では、通常の状態（アースプレート３０に筐体５０側から負荷がかかっていない状態）の際に、アースプレート本体３１と延出部３２とが同一平面上となる構成としたが、これに限らず、アースプレート３０は、トレイの外形よりも内側に位置可能であり、トレイ１０が筐体５０に収容された際に、屈曲端部３３が筐体５０の傾斜面７１に当接する構成であれば、特に限定されるものではない。
【００３４】
そしてまた、本発明では、屈曲端部３３の端面３９は、傾斜面７１に対し平行な面となるように傾斜した傾斜面であってもよい。このようにすることで、傾斜面７１との接触面積をさらに大きくとることができ、両者間の導通性をより向上させることができる。
【００３５】
さらにまた、トレイ１０に対するアースプレート３０の配設位置、筐体５０に対する傾斜面７１の形成位置は、アースプレート３０がトレイの外形よりも内側に位置し、トレイ１０が筐体５０に収容された際に、屈曲端部３３が筐体５０の傾斜面７１に当接する構成であれば、特に限定されるものではない。
【符号の説明】
【００３６】
１…光ディスク装置、１０…トレイ、１８…収容部、１９…ベゼル、３０…アースプレート、３１…アースプレート本体、３２…延出部、３３…屈曲端部、３９…端面、５０…筐体、５５…ボトムケース、５６…アッパーカバー、７０…導通受領部、７１…傾斜面、７２…凸部、７３…段部
【図１】
2012252753.tif 000003
【図２】
2012252753.tif 000004
【図３】
2012252753.tif 000005
【図４】
2012252753.tif 000006
【図５】
2012252753.tif 000007
【図６】
2012252753.tif 000008
【図７】
2012252753.tif 000009
【図８】
2012252753.tif 000010
【図９】
2012252753.tif 000011
【図１０】
2012252753.tif 000012
【図１１】
2012252753.tif 000013
【図１２】
2012252753.tif 000014
【図１３】
2012252753.tif 000015